(57)【要約】【課題】制御信号の処理に対する輻輳を防止するようにした基地局装置及び無線通信システムを提供すること。【解決手段】第１のサービスエリアを有し、前記第１のサービスエリアに位置する端末装置とユーザデータを交換する他の基地局装置と、前記第１のサービスエリアを含み前記第１のサービスエリアよりエリアが広い第２のサービスエリアを有し、前記第１のサービスエリアに位置する前記端末装置と制御信号を交換する基地局装置とを有する無線通信システムにおける基地局装置において、前記制御信号に対する処理量が第１の閾値以上であって、前記第１のサービスエリアに所定時間以上在圏する前記端末装置の前記制御信号に対する処理を前記基地局装置から前記他の基地局装置へ移行させる制御部を備える。【選択図】図１２
2016131358.tif 000002
【特許請求の範囲】
【請求項１】
第１のサービスエリアを有し、前記第１のサービスエリアに位置する端末装置とユーザデータを交換する他の基地局装置と、前記第１のサービスエリアを含み前記第１のサービスエリアよりエリアが広い第２のサービスエリアを有し、前記第１のサービスエリアに位置する前記端末装置と制御信号を交換する基地局装置を有する無線通信システムにおける前記基地局装置において、
前記制御信号に対する処理量が第１の閾値以上であって、前記第１のサービスエリアに所定時間以上在圏する前記端末装置の前記制御信号に対する処理を前記基地局装置から前記他の基地局装置へ移行させる制御部
を備えることを特徴とする基地局装置。
【請求項２】
前記制御部は、前記制御信号に対する処理が前記閾値以上のとき、前記端末装置の位置を示す位置情報と前記端末装置の移動速度を示す移動速度情報に基づいて、前記制御信号に対する処理を前記他の基地局装置へ移行させるか否かを判別し、判別した判別結果に従って前記制御信号に対する処理を前記基地局装置から前記他の基地局装置へ移行させることを特徴とする請求項１記載の基地局装置。
【請求項３】
前記制御部は、前記端末装置の前記位置情報と前記移動速度情報に基づいて、前記端末装置が前記第１のサービスエリアの中心から第２の閾値以内の距離に在圏し、前記端末装置の移動速度が第３の閾値以下のとき、当該端末装置に対する前記制御信号の処理を前記他の基地局装置へ移行させると判別することを特徴とする請求項２記載の基地局装置。
【請求項４】
前記制御部は、前記端末装置が前記基地局装置から前記他の基地局装置及び前記他の基地局装置から前記基地局装置へハンドオーバした回数が第５の閾値以上のとき、前記端末装置が前記第１のサービスエリアに所定時間以上在圏するか否かを判別することなく、当該端末装置の前記制御信号に対する処理を前記他の基地局装置へ移行させないで前記基地局装置において当該端末装置の前記制御信号に対する処理を行うことを特徴とする請求項１記載の基地局装置。
【請求項５】
前記制御部は、前記端末装置の前記移動速度情報について前記端末装置の属性に応じた固定値が含まれているときは、当該固定値と前記端末装置の位置情報に基づいて、前記端末装置の前記制御信号に対する処理を前記他の基地局装置へ移行させないで前記基地局装置において前記端末装置の前記制御信号に対する処理を行うことを特徴とする請求項１記載の基地局装置。
【請求項６】
端末装置と、
第１のサービスエリアを有し、前記第１のサービスエリアに位置する前記端末装置とユーザデータを交換する第１の基地局装置と、
前記第１のサービスエリアを含み前記第１のサービスエリアよりエリアが広い第２のサービスエリアを有し、前記第１のサービスエリアに位置する前記端末装置と制御信号を交換する第２の基地局装置とを備える無線通信システムにおいて、
前記第２の基地局装置は、
前記制御信号に対する処理量が第１の閾値以上であって、前記第１のサービスエリアに所定時間以上在圏する前記端末装置の前記制御信号に対する処理を前記基地局装置から前記他の基地局装置へ移行させる制御部
を備えることを特徴とする無線通信システム。
【発明の詳細な説明】
【技術分野】
【０００１】
本発明は、基地局装置及び無線通信システムに関する。
【背景技術】
【０００２】
現在、携帯電話システムや無線ＬＡＮ（Local Area Network）などの無線通信システムが広く利用されている。また、無線通信の分野では、通信速度や通信容量を更に向上させるべく、次世代の通信技術について継続的な議論が行われている。例えば、標準化団体である３ＧＰＰ（3rd Generation Partnership Project）ではＬＴＥ（Long Term Evolution）と呼ばれる通信規格や、ＬＴＥをベースとしたＬＴＥ−Ａ（LTE-Advanced）と呼ばれる通信規格の標準化が完了若しくは検討されている。
【０００３】
このような無線通信システムに関して、ＨｅｔＮｅｔ（Heterogeneous Network）と呼ばれる技術がある。ＨｅｔＮｅｔは、例えば、セル半径や無線通信方式の異なるシステムが同一の無線通信エリアに混在するようにした技術である。これにより、例えば、ＨｅｔＮｅｔ以外の無線通信システムと比較して、ネットワーク全体のキャパシティ（又は容量）を改善させることができる。ただし、ＨｅｔＮｅｔは、現在では、マクロセル基地局のサービスエリア（以下では、「マクロセル」と称する場合がある）の中に、マクロセルより無線通信エリアが狭いサービスエリア（以下では、「スモールセル」と称する場合がある）を有するスモールセル基地局が配置された無線通信システムの意味で用いられる。
【０００４】
しかし、スモールセルはマクロセルよりサービスエリアが狭いため、端末装置がマクロセル内を移動した場合でも、マクロセル基地局からスモールセル基地局や、スモールセル基地局からマクロセル基地局へのハンドオーバが行われる場合がある。従って、ＨｅｔＮｅｔ構成の無線通信システムでは、ＨｅｔＮｅｔ構成以外の無線通信システムと比較して、ハンドオーバが行われる頻度が多くなり、そのため、無線通信システム内の処理負荷も増大する。
【０００５】
そこで、Ｃ／Ｕ分離型ＨｅｔＮｅｔと呼ばれる技術が着目されている。Ｃ／Ｕ分離型ＨｅｔＮｅｔは、例えば、スモールセル基地局配下の端末装置について、ユーザデータの処理（例えば、「Ｕ−Ｐｌａｎｅ処理」と称する場合がある）をスモールセル基地局で行わせ、制御信号についての処理（例えば、「Ｃ−Ｐｌａｎｅ処理」と称する場合がある）をマクロセル基地局で行わせる技術である。
【０００６】
Ｃ／Ｕ分離型ＨｅｔＮｅｔでは、マクロセル基地局においてＣ−Ｐｌａｎｅ処理を行わせているため、端末がマクロセルとスモールセルとの間を移動しても、マクロセル基地局とスモールセル基地局はハンドオーバに関する処理を行わなくてもよい。従って、Ｃ／Ｕ分離型ＨｅｔＮｅｔでは、マクセル基地局及びスモールセル基地局と端末との間において、ハンドオーバに関する制御信号の交換が行われず、その分、データ通信の高速化と大容量化を図ることができる。
【０００７】
無線通信システムに関する従来技術として、例えば、以下のような技術がある。
【０００８】
すなわち、輻輳発生時において、移動局の位置情報及び移動速度を検出し、ハンドオーバ可能と判定した移動局を、輻輳状態にある無線通信エリアとは異なる無線通信システムへ強制的にハンドオーバさせるようにした無線制御装置がある。
【０００９】
この技術によれば、輻輳発生時又は輻輳発生が予想される状態において、効率的にセル内の携帯端末を分散させて輻輳を解消できる、とされる。
【先行技術文献】
【特許文献】
【００１０】
【特許文献１】特開２００８−２７０９１９号公報
【発明の概要】
【発明が解決しようとする課題】
【００１１】
しかしながら、Ｃ／Ｕ分離型ＨｅｔＮｅｔにおいては、スモールセル基地局配下の端末装置に対して、Ｃ−Ｐｌａｎｅ処理輻輳の影響が及んでしまう場合がある。
【００１２】
すなわち、Ｃ／Ｕ分離型ＨｅｔＮｅｔにおいては、マクロセル基地局は自局配下の端末装置だけではなく、スモールセル基地局配下の端末装置に対するＣ−Ｐｌａｎｅ処理を行う。例えば、新幹線などで高速に移動する多数のユーザ（又は端末装置）がマクロセルを通過する場合を考える。この場合、マクロセル基地局は当該多数の端末装置に対してハンドオーバ処理を行う。当該多数の端末装置によって、マクロセル基地局では、ハンドオーバ処理について許容範囲を超える場合がある。かかる場合、マクロセル基地局配下の全端末装置に対してＣ−Ｐｌａｎｅ処理が輻輳することになる。この場合、マクロセル基地局はスモールセル基地局配下の端末に対するＣ−Ｐｌａｎｅ処理を行っているため、輻輳の影響はマクロセル基地局配下の端末装置だけでなくスモールセル基地局配下の端末装置に対するＣ−Ｐｌａｎｅ処理まで及ぶことになる。これにより、マクロセル基地局において、Ｃ−Ｐｌａｎｅ処理の輻輳がスモールセル基地局配下の端末装置に及ぶ場合がある。
【００１３】
他方、Ｃ／Ｕ分離型ではないＨｅｔＮｅｔ構成では、マクロセル基地局は自局配下の端末装置に対するＣ−Ｐｌａｎｅ処理を行い、スモールセル基地局でも自局配下の端末装置に対するＣ−Ｐｌａｎｅ処理を行っており、それぞれ分離して当該処理を行っている。このため、マクロセル基地局におけるＣ−Ｐｌａｎｅ処理の輻輳は、スモールセル基地局におけるＣ−Ｐｌａｎｅ処理の輻輳に影響を与えない。
【００１４】
上述した輻輳状態にある無線通信エリアとは異なる無線通信システムへ強制的にハンドオーバさせる技術は、ハンドオーバ元の無線通信システムにおける輻輳状態を回避することができても、ハンドオーバ先の無線通信システムの輻輳については何ら考慮されていない。従って、かかる技術では、ハンドオーバ先の無線通信システムにおいてＣ−Ｐｌａｎｅ処理が輻輳する場合もある。
【００１５】
そこで、一開示は、制御信号の処理に対する輻輳を防止するようにした基地局装置及び無線通信システムを提供することにある。
【課題を解決するための手段】
【００１６】
一開示は、第１のサービスエリアを有し、前記第１のサービスエリアに位置する端末装置とユーザデータを交換する他の基地局装置と、前記第１のサービスエリアを含み前記第１のサービスエリアよりエリアが広い第２のサービスエリアを有し、前記第１のサービスエリアに位置する前記端末装置と制御信号を交換する基地局装置を有する無線通信システムにおける前記基地局装置において、前記制御信号に対する処理量が第１の閾値以上であって、前記第１のサービスエリアに所定時間以上在圏する前記端末装置の前記制御信号に対する処理を前記基地局装置から前記他の基地局装置へ移行させる制御部を備える。
【発明の効果】
【００１７】
一開示によれば、制御信号の処理に対する輻輳を防止するようにした基地局装置及び無線通信システムを提供することができる。
【図面の簡単な説明】
【００１８】
【図１】図１は無線通信システムの構成例を表す図である。
【図２】図２は無線通信システムの構成例を表わす図である。
【図３】図３は基地局間ＣＡを表す図である。
【図４】図４はマクロセル基地局の構成例を表す図である。
【図５】図５はスモールセル基地局の構成例を表す図である。
【図６】図６は端末の構成例を表す図である。
【図７】図７（Ａ）はＭＭＥ、図７（Ｂ）はＳ−ＧＷの構成例を夫々表す図である。
【図８】図８はＣ−Ｐｌａｎｅの処理量の監視例を示すフローチャートで。
【図９】図９はＣ−Ｐｌａｎｅ処理移行の動作例を表すフローチャートである。
【図１０】図１０はＣ−Ｐｌａｎｅ処理移行の動作例を表すシーケンス図である。
【図１１】図１１はＣ−Ｐｌａｎｅ処理移行の動作例を表すシーケンス図である。
【図１２】図１２はＣ−Ｐｌａｎｅ処理移行の動作例を表すシーケンス図である。
【図１３】図１３はＣ−Ｐｌａｎｅ処理移行の動作例を表すシーケンス図である。
【図１４】図１４はサービスエリアの分割例を表す図である。
【図１５】図１５はＨＯ判定マトリクスの例を表す図である。
【図１６】図１６はＳＲＢとＤＲＢの設定例を表す図である。
【図１７】図１７はＳＲＢとＤＲＢの設定例を表す図である。
【図１８】図１８はＳＲＢとＤＲＢの設定例を表す図である。
【図１９】図１９はＨＯ回数算出処理の例を表すフローチャートである。
【図２０】図２０はＨＯ回数算出処理の例を表すフローチャートである。
【図２１】図２１はＣ−Ｐｌａｎｅ処理移行の動作例を表すフローチャートである。
【図２２】図２２はマクロセル基地局の構成例を表す図である。
【図２３】図２３はスモールセル基地局の構成例を表す図である。
【図２４】図２４は端末の構成例を表す図である。
【発明を実施するための形態】
【００１９】
以下、本発明を実施するための形態について説明する。
【００２０】
［第１の実施の形態］
第１の実施の形態について説明する。
【００２１】
図１は無線通信システム１０の構成例を表す図である。無線通信システム１０は、基地局装置１００−１、他の基地局装置１００−２、端末２００−２を備える。
【００２２】
基地局装置１００−１は第２のサービスエリア１００−Ｍを有する。また、他の基地局装置１００−２は第１のサービスエリア１００−Ｓを有する。第２のサービスエリア１００−Ｍは、第１のサービスエリア１００−Ｓを含み、第１のサービスエリア１００−Ｓよりエリアが広くなっている。
【００２３】
基地局装置１００−１は、第１のサービスエリア１００−Ｓに在圏する端末装置２００−２と制御信号を交換する。一方、他の基地局装置１００−２は、第１のサービスエリア１００−Ｓに在圏する端末装置２００−２とユーザデータを交換する。
【００２４】
無線通信システム１０は、例えば、Ｃ／Ｕ分離型ＨｅｔＮｅｔとなっている。
【００２５】
基地局装置１００−１は制御部１２５を備える。制御部１２５は、制御信号に対する処理量が第１の閾値以上であって、第１のサービスエリア１００−Ｓに所定時間以上在圏する端末装置２００−２の制御信号に対する処理を基地局装置１００−１から基地局装置１００−２へ移行させる。
【００２６】
これにより、第１のサービスエリア１００−Ｓに在圏する端末装置２００−２に対する制御信号の処理が基地局装置１００−１から他の基地局装置１００−２へ移行することになる。従って、基地局装置１００−１では、端末装置２００−２に対する制御信号の処理を行うことがなくなり、その分、基地局装置１００−１における制御信号処理に対する輻輳を防止することができる。
【００２７】
［第２の実施の形態］
次に第２の実施の形態について説明する。
【００２８】
＜無線通信システムの構成例＞
無線通信システムの構成例について説明する。図２は無線通信システム１０の構成例を表す図である。無線通信システム１０は、マクロセル基地局装置（又は第１の基地局装置、以下では「マクロセル基地局」と称する場合がある）１００−１、スモールセル基地局装置（又は第２の基地局装置、以下では「スモールセル基地局」と称する場合がある）１００−２を備える。また、無線通信システム１０は、端末装置（以下、「端末」と称する場合がある）２００−１，２００−２、ＭＭＥ（Mobility Management Entity）３００、及びＳ−ＧＷ（Serving Gateway）４００を備える。
【００２９】
マクロセル基地局１００−１のサービスエリア１００−Ｍは、スモールセル基地局１００−２のサービスエリア１００−Ｓより広い。また、スモールセル基地局１００−２のサービスエリア１００−Ｓは、マクロセル基地局１００−１のサービスエリア１００−Ｍ内に階層的に配置される。このように、サービスエリア１００−Ｓがサービスエリア１００−Ｍ内に階層的に配置される無線通信システムを、例えば、ＨｅｔＮｅｔと称する場合がある。図２の無線通信システム１０はＨｅｔＮｅｔの一例である。
【００３０】
マクロセル基地局１００−１は、サービスエリア１００−Ｍに在圏する端末２００−１，２００−２と無線通信を行い、端末２００−１，２００−１との間でユーザデータや制御信号などを交換する。
【００３１】
また、マクロセル基地局１００−１は、スモールセル基地局１００−２、ＭＭＥ３００、及びＳ−ＧＷ４００と接続されている。マクロセル基地局１００−１は、Ｘ２インターフェイスを利用して、スモールセル基地局１００−２との間でユーザデータや制御信号などを交換する。また、マクロセル基地局１００−１は、Ｓ１インターフェイスを利用して、ＭＭＥ３００やＳ−ＧＷ４００との間で制御信号やユーザデータ交換する。
【００３２】
以下では、ユーザデータの交換に関する機能群をＵ−Ｐｌａｎｅ（又はユーザプレーン）、呼制御に関する制御信号の交換に関する機能群をＣ−Ｐｌａｎｅ（又は制御プレーン）と称する場合がある。Ｕ−Ｐｌａｎｅにより、音声データや文字データなどのユーザデータが交換（又は転送）される。また、Ｃ−Ｐｌａｎｅにより、呼制御に関する制御信号が交換される。
【００３３】
スモールセル基地局１００−２は、サービスエリア１００−Ｓに在圏する端末２００−２と無線通信を行い、ユーザデータや制御信号などを交換する。
【００３４】
また、スモールセル基地局１００−２は、マクロセル基地局１００−１、ＭＭＥ３００、及びＳ−ＧＷ４００に接続される。スモールセル基地局１００−２は、Ｘ２インターフェイスを利用して、マクロセル基地局１００−２との間でユーザデータや制御信号を交換する。また、スモールセル基地局１００−２は、Ｓ１インターフェイスを利用して、ＭＭＥ３００やＳ−ＧＷ４００との間で制御信号やユーザデータを交換する。
【００３５】
ただし、本無線通信システム１０においては、スモールセル基地局１００−２のサービスエリア１００−Ｓに在圏する端末２００−２について、Ｕ−Ｐｌａｎｅ処理をスモールセル基地局１００−２で行い、Ｃ−Ｐｌａｎｅ処理をマクロセル基地局１００−２で行う。
【００３６】
このように、スモールセル基地局１００−２でＵ−Ｐｌａｎｅ処理、マクロセル基地局１００−１でＣ−Ｐｌａｎｅ処理をそれぞれ行うようにしたＨｅｔＮｅｔを、例えば、Ｃ／Ｕ分離型ＨｅｔＮｅｔと称する場合がある。図２は、Ｃ／Ｕ分離型ＨｅｔＮｅｔの無線通信システム１０の例を表している。
【００３７】
端末２００−１，２００−２は、例えば、フィーチャーフォン、スマートフォン、タブレット、パーソナルコンピュータなどの携帯型移動端末である。端末２００−１は、マクロセル基地局１００−１とユーザデータを交換することで、通話サービスや映像配信サービスなど種々のサービスの提供を受けることができる。また、端末２００−２は、スモールセル基地局１００−２とユーザデータを交換することで、スモール基地局１００−２から通話サービスなど様々なサービスの提供を受けることができる。
【００３８】
ＭＭＥ３００は、例えば、端末２００−１，２００−２の位置管理を行ったり、ベアラ制御などを行う管理装置である。ベアラとは、例えば、端末２００−１，２００−２とＳ−ＧＷ４００との間で確立され、ユーザデータや制御信号を転送する論理的な経路のことである。例えば、ユーザデータを転送する論理経路をデータベアラ（又はＤＲＢ（Data Radio Bearer））、制御信号を転送する論理経路をシグナルベアラ（又はＳＲＢ（Signal Radio Bearer））と称する場合がある。
【００３９】
ＤＲＢがＳ−ＧＷ４００と端末２００−１，２００−２との間に設定されることで、Ｕ−ＰｌａｎｅによるユーザデータがＳ−ＧＷ４００と端末２００−１，２００−２との間で交換（又は転送）される。また、ＳＲＢがＳ−ＧＷ４００と端末２００−１，２００−２との間で設定されることで、Ｃ−Ｐｌａｎｅによる制御信号がＳ−ＧＷ４００と端末２００−１，２００−３との間で交換される。
【００４０】
ＭＭＥ３００では、ベアラの設定を主導し、例えば、ＭＭＥ３００がシグナルベアラを設定し、Ｓ−ＧＷ４００に対してはデータベアラの設定を指示する。Ｓ−ＧＷ４００はこの指示を受けてデータベアラを設定する。
【００４１】
Ｓ−ＧＷ４００は、ユーザデータと制御信号をマクロセル基地局１００−１又はスモールセル基地局１００−２との間で交換する。Ｓ−ＧＷ４００は、設定したＤＲＢに従って、ユーザデータをマクロセル基地局１００−１又はスモールセル基地局１００−２へ送信する。また、Ｓ−ＧＷ４００は、設定されたＳＲＢに従って、制御信号をマクロセル基地局１００−１又はスモールセル基地局１００−２へ送信する。
【００４２】
上述したように本無線通信システム１０ではＣ／Ｕ分離型ＨｅｔＮｅｔとなっている。Ｃ／Ｕ分離型ＨｅｔＮｅｔの１つの形態として、例えば、基地局間ＣＡ（Carrier Aggregation）（又はＩｎｔｅｒ−ｅＮＢ  ＣＡ）がある。ＨｅｔＮｅｔの無線通信システム１０において、基地局間ＣＡを設定することで、例えば、Ｃ／Ｕ分離型ＨｅｔＮｅｔとすることができる。
【００４３】
基地局間ＣＡは、例えば、マクロセル基地局１００−１で無線信号の送信や受信に用いる周波数帯域と、スモールセル基地局１００−２で無線信号の送信や受信に用いる周波数帯域とをまとめて（又は集めて）、１つの周波数帯域として利用する技術である。基地局間ＣＡでは、例えば、マクロセル基地局１００−１とスモールセル基地局１００−２の双方の周波数帯域が同時に利用可能となるため、通信の大容量化、高速化が可能となる。
【００４４】
図３は基地局間ＣＡが行われている場合の無線通信システム１０の例を表している。この場合、端末２００に対して、マクロセル基地局１００−１経由のＤＲＢ、スモールセル基地局１００−２経由のＤＲＢの２つのＤＲＢが設定されている。また、ＳＲＢは、端末２００とマクロセル基地局１００−１間において設定されている。Ｕ−Ｐｌａｎｅがスモールセル基地局１００−２、Ｃ−Ｐｌａｎｅがマクロセル基地局１００−１に夫々設定されており、図３に示す無線通信システム１０はＣ／Ｕ分離型ＨｅｔＮｅｔを含んでいる。
【００４５】
次に、マクロセル基地局１００−１、スモールセル基地局１００−２、端末２００、ＭＭＥ３００、及びＳ−ＧＷ４００の各構成例について説明する。
【００４６】
＜マクロセル基地局の構成例＞
図４はマクロセル基地局１００−１の構成例を表す図である。マクロセル基地局１００−１は、複数のアンテナ１０１−１，１０１−２，…、複数の無線部１１０−１，１１０−２，…、及び制御・ベースバンド部１２０とを備える。
【００４７】
複数の無線部１１０−１，１１０−２，…はいずれも同一構成のため、代表して無線部１１０−１を例にして説明する。
【００４８】
無線部１１０−１は、直交変復調部１１１、送信部１１２、ＰＡ（Power Amp）１１３、ＤＵＰ（Duplexer）１１４、ＬＮＡ（Low Noise Amp）１１５、及び受信部１１６を備える。
【００４９】
直交変復調部１１１は、制御・ベースバンド部１２０から出力されたベースバンド信号に対して変調処理を行い、変調後のベースバンド信号を送信部１１２へ出力する。また、直交変復調部１１１は、受信部１１６から出力されたベースバンド信号に対して復調処理を行い、復調後のベースバンド信号を制御・ベースバンド部１２０へ出力する。
【００５０】
送信部１１２は、変調後のベースバンド信号に対して周波数変換処理などを行い、無線帯域の無線信号へ変換する。
【００５１】
ＰＡ１１３は、増幅器であって、送信部１１２から出力された無線信号を増幅する。
【００５２】
ＤＵＰ１１４は、ＰＡ１１３から出力された無線信号をアンテナ１０１−１へ出力し、アンテナ１０１−１で受信した無線信号（又は受信信号）をＬＮＡ１１５へ出力する。
【００５３】
ＬＮＡ１１５は、低雑音増幅器であって、ＤＵＰ１１４から出力された受信信号を増幅する。
【００５４】
受信部１１６は、ＬＮＡ１１５から出力された受信信号に対して周波数変換処理などを行い、ベースバンド帯域のベースバンド信号へ変換する。
【００５５】
制御・ベースバンド部１２０は、ベースバンド部１２１、伝送路インターフェイス部１２２、タイミング制御部１２３、電源部１２４、制御部１２５、及びメモリ１２６を備える。
【００５６】
ベースバンド部１２１は、伝送路インターフェイス部１２２からユーザデータを受け取り、受信したユーザデータに対して誤り訂正符号化処理などを行い、ベースバンド信号へ変換する。ベースバンド部１２１は、ベースバンド信号を直交変復調部１１１へ出力する。また、ベースバンド部１２１は、制御部１２５から制御信号を受け取り、制御信号に対して誤り訂正符号化処理などを施してベースバンド信号として直交変復調部１１１へ出力する。
【００５７】
また、ベースバンド部１２１は、直交変復調部１１１から出力されたベースバンド信号に対して誤り訂正復号化処理などを行い、ユーザデータや制御信号などを抽出する。ベースバンド部１２１は、抽出したユーザデータをメモリ１２６や伝送路インターフェイス部１２２へ出力し、抽出した制御信号を制御部１２５へ出力する。
【００５８】
伝送路インターフェイス部１２２は、ＭＭＥ３００やＳ−ＧＷ４００との間ではＳ１フォーマットでメッセージなどを交換し、スモールセル基地局１００−２との間ではＸ２フォーマットでメッセージなどを交換する。
【００５９】
そのため、伝送路インターフェイス部１２２は、ベースバンド部１２１や制御部１２５からそれぞれ受け取ったユーザデータや制御信号を、Ｓ１フォーマットのメッセージなどに変換して、ＭＭＥ３００やＳ−ＧＷ４００へ送信する。また、伝送路インターフェイス部１２２は、ベースバンド部１２１や制御部１２５からそれぞれ受け取ったユーザデータや制御信号を、Ｘ２フォーマットのメッセージに変換して、スモールセル基地局１００−２へ送信する。
【００６０】
また、伝送路インターフェイス部１２２は、ＭＭＥ３００やＳ−ＧＷ４００から受信したＳ１フォーマットのメッセージから、ユーザデータや制御信号を抽出し、ベースバンド部１２１、制御部１２５やメモリ１２６へ出力する。さらに、伝送路インターフェイス部１２２は、スモールセル基地局１００−２から受信したＸ２フォーマットのメッセージから、ユーザデータや制御信号を抽出し、ベースバンド部１２１や制御部１２５、メモリ１２６へ出力する。
【００６１】
タイミング制御部１２３は、例えば、端末２００やスモールセル基地局１００−２、Ｓ−ＧＷ４００など、他の装置と同期してマクロセル基地局１００−１内の各部１１０−１などを動作させる。
【００６２】
電源部１２４は、例えば、マクロセル基地局１００−１の電源をオン又はオフにする。
【００６３】
制御部１２５は、例えば、マクロセル基地局１００−１配下の端末２００に対し、無線リソースの割り当てや誤り訂正符号化方式、変調方式などについてスケジューリングを行い、スケジューリング結果を含む制御信号を生成する。
【００６４】
また、制御部１２５は、制御信号の処理量を監視し、当該処理量が第１の閾値以上であって、サービスエリア１００−Ｓに所定時間以上在圏する端末２００−２の制御信号に対する処理を、マクロセル基地局１００−１からスモールセル基地局１００−２へ移行させる。その詳細については動作例で説明する。
【００６５】
メモリ１２６は、ベースバンド部１２１や伝送路インターフェイス部１２２から出力されたユーザデータなどを記憶する。また、メモリ１２６にはＨＯ判定マトリクス１２６１が記憶される。ＨＯ判定マトリクス１２６１の詳細は後述する。
【００６６】
＜スモールセル基地局の構成例＞
図５はスモールセル基地局１００−２の構成例を表す図である。スモールセル基地局１００−２は、アンテナ１０１、無線部１１０、及び制御・ベースバンド部１３０を備える。
【００６７】
アンテナ１０１と無線部１１０は、マクロセル基地局１００−１と同一構成となっている。ただし、マクロセル基地局１００−１では無線部１１０の個数は複数あるが、スモールセル基地局１００−２における無線部１１０の個数は「１」となっている。
【００６８】
制御・ベースバンド部１３０は、送信ベースバンド部１３１−１、受信ベースバンド部１３１−２、伝送路インターフェイス部１３２、タイミング制御部１３３、制御部１３４、電源部１３５、メモリ１３６、及びＲＴＴ計測部１３７を備える。
【００６９】
送信ベースバンド部１３１−１は、伝送路インターフェイス部１３２や制御部１３４から受け取ったユーザデータや制御信号などに対して、誤り訂正符号化処理などを施してベースバンド信号として直交変復調部１１１へ出力する。
【００７０】
また、受信ベースバンド部１３１−２は、直交変復調部１１１から受け取ったベースバンド信号に対して、誤り訂正復号化処理などを施して、ユーザデータや制御信号などを抽出し、伝送路インターフェイス部１３２、制御部１３４、又はメモリ１３６へ出力する。
【００７１】
伝送路インターフェイス部１３２、タイミング制御部１３３、電源部１３５、及びメモリ１３６は、マクロセル基地局１００−１の伝送路インターフェイス部１２２、タイミング制御部１２３、電源部１２４、メモリ１２６と同一機能を有している。ただし、伝送路インターフェイス部１２２は、Ｘ２フォーマットでマクロセル基地局１００−１とユーザデータや制御信号などを交換し、Ｓ１フォーマットでＭＭＥ３００やＳ−ＧＷ４００とユーザデータや制御信号などを交換する。
【００７２】
ＲＴＴ計測部１３７は、スモールセル基地局１００−２と端末２００との間で送受信される無線信号に対するＲＴＴ（Round Trip Time：無線信号を送信してから受信するまでの時間）を計測する。計測方法については動作例で説明する。ＲＴＴ計測部１３７は計測したＲＴＴを制御部１３４へ出力する。
【００７３】
制御部１３４では、ＲＴＴに基づいて、スモールセル基地局１００−２から端末２００までの直線距離を推定する。スモールセル基地局１００−２では、端末２００までの直線距離を推定することで、例えば、端末２００の位置を推定（又は判別）する。その詳細は後述する。
【００７４】
＜端末の構成例＞
図６は端末２００の構成例を表す図である。端末２００は、アンテナ２０１、無線部２１０、ベースバンド部２２０、アプリケーション制御部２２１、ビデオコーデック部２２２、ＣＣＤ（Charge Coupled Device）２２３、ＬＣＤ（Liquid Crystal Device）２２４を備える。また、端末２００は、音声コーデック部２２５、スピーカ２２６、マイク２２７、電源部２３０、バッテリ２３１、速度センサ２３２、制御部２３３、及びキー２３４を備える。
【００７５】
アンテナ２０１は、無線部２１０から出力された無線信号をマクロセル基地局１００−１やスモールセル基地局１００−２へ送信する。また、アンテナ２０１は、マクロセル基地局１００−１やスモールセル基地局１００−２から送信された無線信号を受信し、無線部２１０へ出力する。
【００７６】
無線部２１０は、直交変復調部２１１、送信部２１２、ＰＡ２１３、ＤＵＰ２１４、ＬＮＡ２１５、受信部２１６を備える。直交変復調部２１１、送信部２１２、ＰＡ２１３、ＤＵＰ２１４、ＬＮＡ２１５、受信部２１６の機能は、例えば、マクロセル基地局１００−１やスモールセル基地局１００−２の無線部１１０と同様である。ベースバンド部２２０と電源部２３０の機能も、例えば、マクロセル基地局１００−１のベースバンド１２１と電源部１２４と同様である。
【００７７】
アプリケーション制御部２２１は、例えば、ベースバンド部２２０からユーザデータを受け取り、ユーザデータのうち画像データをビデオコーデック部２２２へ出力し、音声データを音声コーデック部２２５へ出力する。また、アプリケーション制御部２２１は、例えば、ビデオコーデック部２２２や音声コーデック部２２５からそれぞれ出力された画像データや音声データをユーザデータとしてベースバンド部２２０へ出力する。
【００７８】
ビデオコーデック部２２２は、ＣＣＤ２２３から出力された画像データに対して圧縮符号化処理などの画像処理を行い、画像処理後の画像データをアプリケーション制御部２２１へ出力する。また、ビデオコーデック部２２２は、アプリケーション制御部２２１から受け取った、圧縮された画像データに対して伸長処理を行い、伸長された画像データをＬＣＤ２２４へ出力する。
【００７９】
ＣＣＤ２２３は、例えば、撮像素子であって、被写体を撮像することで画像データを生成してビデオコーデック部２２２へ出力する。ＬＣＤ２２４は、例えば、表示部あって、ビデオコーデック部２２２から画像データを表示する。
【００８０】
音声コーデック部２２５は、マイク２２７から受け取った音声データに対して圧縮符号化などの音声処理を行い、音声処理後の音声データをアプリケーション制御部２２１へ出力する。また、音声コーデック部２２５は、アプリケーション制御部２２１から受け取った音声データに対して伸長処理などを行い、伸長処理後の音声データをスピーカ２２６へ出力する。
【００８１】
スピーカ２２６は、音声コーデック部２２５から受け取った音声データに対応する音声を出力する。また、マイク２２７は、取得した音声を音声データとして音声コーデック部２２５へ出力する。
【００８２】
電源部２３０は、端末２００の各部への電源を供給する。バッテリ２３１は、電源部２３０から供給された電気を蓄電し、電源部２３０からの電源が供給されないときに蓄電した電気を端末２００内の各部へ供給する。速度センサ２３２は、端末２００の移動速度を検出するセンサである。
【００８３】
制御部２３３は、無線部２１０とベースバンド部２２０を適宜制御して、例えば、ベースバンド部２２０における誤り訂正符号化処理の符号化率や無線部２１０における直交変調符号化の変調方式などを指示する。また、制御部２３３は、ＭＭＥ３００やＳ−ＧＷ４００で設定されたＳＲＢやＤＲＢに関する情報を受け取る。この際、制御部２３３は、ＳＲＢやＤＲＢに関する情報に従って、制御信号やユーザデータをマクロセル基地局１００−１又はスモールセル基地局１００−２へ送信するよう無線部２１０などを制御する。また、制御部２３３は、ＳＲＢやＤＲＢに関する情報に従って、制御信号やユーザデータをマクロセル基地局１００−１やスモールセル基地局１００−２から受信するよう無線部２１０などを制御する。
【００８４】
＜ＭＭＥの構成例＞
図７（Ａ）はＭＭＥ３００の構成例を表す図である。ＭＭＥ３００は、Ｓ１インターフェイス部３１０、制御部３２０、及びメモリ３３０を備える。
【００８５】
Ｓ１インターフェイス部３１０は、マクロセル基地局１００−１、スモールセル基地局１００−２、Ｓ−ＧＷ４００などと接続され、これらの装置との間でＳ１フォーマットのメッセージを交換する。この場合、Ｓ１インターフェイス部３１０は、２つの基地局１００−１，１００−２やＳ−ＧＷ４００から送信されたＳ１フォーマットのメッセージから制御信号などを抽出して、抽出した制御信号などを制御部３２０へ出力する。また、Ｓ１インターフェイス部３１０は、制御部３２０から出力された制御信号などをＳ１フォーマットのメッセージに変換して、２つの基地局１００−１，１００−２やＳ−ＧＷ４００へ出力する。
【００８６】
制御部３２０は、例えば、ベアラの設定を主導する。例えば、制御部３２０はＳＲＢの設定を行い、ＤＲＢの設定をＳ−ＧＷ４００へ依頼する。本第２の実施の形態では、ＭＭＥ３００においてＳＲＢの設定を行い、Ｓ−ＧＷ４００においてＤＲＢの設定を行う。
【００８７】
ＳＲＢの設定は、例えば、以下のようになる。すなわち、図２の例では、Ｃ−Ｐｌａｎｅによる制御信号が送信される経路は、Ｓ−ＧＷ４００からマクロセル基地局１００−１を経由して端末２００−２へ至る経路と、Ｓ−ＧＷ４００からスモールセル基地局１００−２を経由して端末２００−２へ至る経路の２つの経路がある。制御部３２０は、２つの経路のうちいずれかの経路に対してＣ−Ｐｌａｎｅにより制御信号が送信される経路を設定することができる。この場合、制御部３２０は、いずれかの経路に対してＳＲＢに関するＩＤ（Identification、又は「識別子」）を割り当て、それをメモリ３３０に記憶する。図１６はＳＲＢが設定された例を表す図である。図１６の例では、ＭＭＥ３００は端末２００−２のＩＤ「ｘｘｘ」とマクロセル基地局１００−１のＩＤ「ｙｙｙ」に対して、ＳＲＢのＩＤとして「１」を割り当てている。これにより、例えば、ＳＲＢ「１」のベアラは、端末２００−２からマクロセル基地局１００−１を経由してＳ−ＧＷ４００に至る経路に設定されて、この経路においてＣ−Ｐｌａｎｅによる制御信号が転送される。制御部３２０は、設定したＳＲＢに関する情報を端末２００へ向けて送信する。
【００８８】
メモリ３３０は、例えば、設定されたＳＲＢに関する情報を記憶する。図１６の例では、メモリ３３０には、ＵＥＩＤ「ｘｘｘ」、基地局ＩＤ「ｙｙｙ」、ＳＲＢＩＤ「ｂｂｂ」が記憶される。
【００８９】
＜Ｓ−ＧＷの構成例＞
図７（Ｂ）はＳ−ＧＷ４００の構成例を表す図である。Ｓ−ＧＷ４００は、Ｓ１インターフェイス部４１０、制御部４２０、メモリ４３０、データ転送部４４０、及び外部インターフェイス部４５０を備える。
【００９０】
Ｓ１インターフェイス部４１０は、マクロセル基地局１００−１、スモールセル基地局１００−２、及びＭＭＥ３００と接続され、これらの装置から送信されたＳ１フォーマットのメッセージを受信する。Ｓ１インターフェイス部４１０は、受信したメッセージのうち制御信号を抽出し、抽出した制御信号を制御部４２０へ出力する。また、Ｓ１インターフェイス部４１０は、受信したメッセージについてユーザデータを含むメッセージについてはその送信先情報を抽出し、送信先情報をデータ転送部４４０へ出力する。
【００９１】
また、Ｓ１インターフェイス部４１０は、制御部４２０から出力された制御信号をＳ１フォーマットのメッセージに変換して、変換後のメッセージをマクロセル基地局１００−１、スモールセル基地局１００−２、又はＭＭＥ３００へ送信する。さらに、Ｓ１インターフェイス部４１０は、データ転送部４４０からの指示に従って、受信したユーザデータを含むメッセージを送信先へ送信する。
【００９２】
制御部４２０は、例えば、呼の設定を行う。呼の設定には、Ｃ−Ｐｌａｎｅに関する制御信号の生成や、Ｃ−Ｐｌａｎｅに関する制御信号に対する応答信号の生成などが含まれる。また、制御部４２０は、ＭＭＥ３００からＤＲＢの設定指示の制御信号を受け取ると、当該指示に従ってＤＲＢの設定を行う。
【００９３】
ＤＲＢの設定は、例えば、以下のようになる。すなわち、図２の例では、Ｕ−Ｐｌａｎｅによるユーザデータが送信される経路は、Ｓ−ＧＷ４００からマクロセル基地局１００−１を経由して端末２００−２へ至る経路と、Ｓ−ＧＷ４００からスモールセル基地局１００−２を経由して端末２００−２へ至る経路の２つの経路がある。制御部４２０は、２つの経路のうちいずれかの経路に対してＵ−Ｐｌａｎｅによりユーザデータが送信される経路を設定することができる。この場合、制御部４２０は、いずれかの経路に対してＤＲＢに関するＩＤを割り当て、それをメモリ４３０に記憶する。図１６はＤＲＢが設定された例を表す図である。図１６の例では、Ｓ−ＧＷ４００は端末２００−２のＩＤ「ｘｘｘ」とマクロセル基地局１００−１のＩＤ「ｙｙｙ」に対して、ＤＲＢのＩＤとして「１」を割り当てている。これにより、例えば、ＤＲＢ「１」のベアラは、端末２００−２からマクロセル基地局１００−１を経由してＳ−ＧＷ４００に至る経路に設定されて、この経路においてＵ−Ｐｌａｎｅによるユーザデータが転送される。制御部４２０は、設定したＤＲＢに関する情報を端末２００へ向けて送信する。
【００９４】
なお、制御部４２０は、ＤＲＢの設定に関して更に上位装置に対してＤＲＢの設定を行うこともできる。
【００９５】
メモリ４３０は、例えば、設定されたＤＲＢに関する情報を記憶する。図１６の例では、メモリ３３０には、ＵＥＩＤ「ｘｘｘ」、基地局ＩＤ「ｙｙｙ」、ＤＲＢＩＤ「ａａａ」などが記憶される。
【００９６】
データ転送部４４０は、送信先情報に基づいて、メモリ４３０に記憶されたＤＲＢに関する情報に従って送信先を確認し、マクロセル基地局１００−１又はスモールセル基地局１００−２を経由して送信先へ送信することを、Ｓ１インターフェイス部４１０へ指示する。
【００９７】
［動作例］
次に動作例について説明する。動作例としては、図２の例で説明する。マクロセル基地局１００−１のサービスエリア１００−Ｍとスモールセル基地局１００−２のサービスエリア１００−Ｓが階層的に配置される。また、スモールセル基地局１００−２のサービスエリア１００−Ｓに端末２００−２が在圏する。この場合、端末２００−２について、マクロセル基地局１００−１においてＣ−Ｐｌａｎｅ処理をスモールセル基地局１００−２へ移行させるか否かを判別するようにしている。
【００９８】
動作例は、１）Ｃ−Ｐｌａｎｅ処理量の監視、２）Ｃ−Ｐｌａｎｅ処理の移行判別と移行処理、を含む。以下、この順番で動作例を説明する。
【００９９】
＜１．Ｃ−Ｐｌａｎｅの処理量の監視＞
図８はＣ−Ｐｌａｎｅ処理の処理量の監視例を示すフローチャートである。
【０１００】
マクロセル基地局１００−１は、ＲＲＣメッセージ数についてメッセージ閾値を設定する（Ｓ１０）。例えば、マクロセル基地局１００−１を管理する管理者や運用者により、キーボードなどの入力装置を介してメッセージ閾値が設定される。メッセージ閾値はメモリ１２６に記憶される。メッセージ閾値は適宜修正又は変更されてもよい。
【０１０１】
次に、マクロセル基地局１００−１は、単位時間あたりのＲＲＣメッセージ数を計測する（Ｓ１１）。例えば、制御部１２５は無線部１１０−１，…から出力されたＲＲＣメッセージに関するベースバンド信号の数を所定時間計測することで、単位時間あたりのＲＲＣメッセージ数を計測する。  
【０１０２】
次に、マクロセル基地局１００−１は、ＲＲＣメッセージ数がメッセージ閾値以上か否かを判別する（Ｓ１２）。例えば、制御部１２５は計測した単位時間あたりのＲＲＣメッセージ数と、メモリ１２６から読み出したメッセージ閾値とを比較して判別する。
【０１０３】
マクロセル基地局１００−１は、ＲＲＣメッセージ数がメッセージ閾値以上のとき（Ｓ１２でＹＥＳ）、近傍スモールセル基地局１００−２への移動条件として、Ｃ−Ｐｌａｎｅ処理の移行判別と移行処理を行う（Ｓ１３）。Ｓ１３は、上記した「２）Ｃ−Ｐｌａｎｅの移行判別と移行処理」に対応する。
【０１０４】
一方、マクロセル基地局１００−１は、ＲＲＣメッセージ数がメッセージ閾値より少ないとき（Ｓ１２でＮＯ）、近傍スモールセル基地局１００−２への移動条件を解除する（Ｓ１４）。この場合、マクロセル基地局１００−１は、「２）Ｃ−Ｐｌａｎｅ処理の移行判別と移行処理」を行わない。
【０１０５】
＜２．Ｃ−Ｐｌａｎｅの移行判別と移行処理＞
次に、Ｃ−Ｐｌａｎｅの移行判別と移行処理について説明する。図９から図１８まではＣ−Ｐｌａｎｅの移行判別と移行処理を説明するための図である。このうち、図９は移行判別と移行処理の全体の処理の例を示している。
【０１０６】
図９においては、Ｃ−Ｐｌａｎｅ処理を移行する対象となる端末２００−２を絞り込むためにどのような方法を用いるかを選択する処理も含まれる。絞込み方法は、１つの方法でもよいし、これらを組み合わせた方法でもよい。本第２の実施の形態では、端末２００−２のロケーションと移動性とを組み合わせて絞込みが行われる。このような絞込みにより、例えば、スモールセル基地局１００−２に所定時間以上継続して在圏する端末２００−２を、Ｃ−Ｐｌａｎｅ処理を移行させる対象の端末とすることができる。
【０１０７】
図９に示すように、マクロセル基地局１００−１は処理を開始すると（Ｓ２０）、端末２００の通信状態を確認し（Ｓ２１）、無線通信システム１０がＣ／Ｕ分離型ＨｅｔＮｅｔ構成となっているか否かを判別する（Ｓ２２）。
【０１０８】
マクロセル基地局１００−１は、無線通信システム１０がＣ／Ｕ分離型ＨｅｔＮｅｔ構成となっていないと判別したとき（Ｓ２２でＮＯ）、Ｓ２１へ処理を移行させ、Ｃ／Ｕ分離型ＨｅｔＮｅｔ構成となるまで待つ。
【０１０９】
マクロセル基地局１００−１は、無線通信システム１０がＣ／Ｕ分離型ＨｅｔＮｅｔ構成になっていると判別したとき（Ｓ２２でＹＥＳ）、Ｃ−Ｐｌａｎｅ移行対象の端末２００の絞込み方法を選択する（Ｓ２３）。
【０１１０】
絞込み方法としては、端末２００の位置（「ＵＥロケーションで絞込み」）、端末２００−２の移動性（「ＵＥ移動性で絞込み」）、及びその他の条件（「その他の条件で絞込み」）がある。絞込み方法は、３つの方法のうちいずれかでもよいし、これらの組み合わせでもよい（Ｓ２４〜Ｓ２５，Ｓ２９〜Ｓ３２）。
【０１１１】
なお、その他の条件（Ｓ３０でＹＥＳ，Ｓ３２）により絞込みを行う場合もある。図１９及び図２０を用いて後述する。
【０１１２】
マクロセル基地局１００−１は、絞込み方法を選択すると、端末２００−２についてＣ−Ｐｌａｎｅ処理移行対象とするか否かを判定する（Ｓ２６）。判定方法の詳細は図１０から図１３を用いて後述する。
【０１１３】
そして、マクロセル基地局１００−１は、端末２００−２をＣ−Ｐｌａｎｅ処理移行対象とするとき（Ｓ２７でＹＥＳ）、Ｃ−Ｐｌａｎｅ処理の移行を実行し、一連の処理を終了する（Ｓ２８）。一方、マクロセル基地局１００−１は、端末２００−２についてＣ−Ｐｌａｎｅ処理の移行対象としないとき（Ｓ２７でＮＯ）、Ｓ２１へ処理を移行させ、上述した処理を繰り返す。
【０１１４】
図１０から図１３は、Ｃ−Ｐｌａｎｅ処理移行の動作例を表すシーケンス図である。図１０から図１３は、例えば、図９のＳ２６とＳ２７の詳細を表している。
【０１１５】
全体として、
１）端末２００−２のマクロセル基地局１００−１への登録処理（図１０）、
２）マクロセル基地局１００−１とスモールセル基地局１００−２の基地局間ＣＡへの設定処理（図１１）、
３）選定した絞込み方法に従って絞り処理（又はＣ−Ｐｌａｎｅ移行判定処理）（図１２）、
４）最後にＣ−Ｐｌａｎｅの移行処理（図１３）
の順番で処理が行われる。以降、順番に説明する。
【０１１６】
＜２．１  マクロセル基地局への登録処理＞
図１０はマクロセル基地局１００−１への登録処理の例を表している。端末２００−２は、マクロセル基地局１００−１へＡｔｔａｃｈ  Ｒｅｑｕｅｓｔを送信する（Ｓ４０）。この送信により、端末２００−２はマクロセル基地局１００−１に対して登録要求（又は接続要求）を行っている。
【０１１７】
次に、マクロセル基地局１００−１はＡｔｔａｃｈ  ＲｅｑｕｅｓｔをＭＭＥ３００へ送信する（Ｓ４１）。例えば、マクロセル基地局１００−１は当該要求の送信により、端末２００−１についてＣ−Ｐｌａｎｅの設定をＭＭＥ３００へ要求している。
【０１１８】
次に、マクロセル基地局１００−１は、Ｃｒｅａｔｅ  Ｓｅｓｓｉｏｎ  ＲｅｑｕｅｓｔをＭＭＥ３００へ送信する（Ｓ４２）。例えば、マクロセル基地局１００−１は、端末２００−１についてのＵ−Ｐｌａｎｅの設定をＭＭＥ３００へ要求している。
【０１１９】
次に、ＭＭＥ３００は  Ｃｒｅａｔｅ  Ｓｅｓｓｉｏｎ  Ｒｅｓｐｏｎｓｅをマクロセル基地局１００−１へ送信する（Ｓ４３）。例えば、ＭＭＥ３００は、Ｃｒｅａｔｅ  Ｓｅｓｓｉｏｎ  Ｒｅｑｕｅｓｔに対する応答をマクロセル基地局１００−１へ送信している。
【０１２０】
次に、ＭＭＥ３００は、Ｉｎｉｔｉａｌ  ＣｏｎｔｅｘｔＳｅｔｕｐ  Ｒｅｑｕｅｓｔ／Ａｔｔａｃｈ  Ａｃｃｅｐｔをマクロセル基地局１００−１へ送信する（Ｓ４４）。例えば、ＭＭＥ３００は接続要求に対して許可することを示す応答メッセージをマクロセル基地局１００−１へ送信している。
【０１２１】
次に、マクロセル基地局１００−１は、ＲＲＣ  Ｃｏｎｎｅｃｔｉｏｎ  Ｒｅｃｏｎｆｉｇｕｒａｔｉｏｎを端末２００−２へ送信する（Ｓ４５）。例えば、マクロセル基地局１００−１は、接続要求（Ｓ４０）に対して許可したことを示す応答メッセージを端末２００−２へ送信している。
【０１２２】
次に、端末２００−２は、ＲＲＣ  Ｃｏｎｎｅｃｔｉｏｎ  Ｒｅｃｏｎｆｇｉｕｒａｔｉｏｎ  Ｃｏｍｐｌｅｔｅをマクロセル基地局１００−１へ送信する（Ｓ４６）。例えば、端末２００−２は、接続許可（Ｓ４６）されたマクロセル基地局１００−１に対して、どのＵ−Ｐｌａｎｅを使用するかを要求している。
【０１２３】
次に、端末２００−２は、Ｄｉｒｅｃｔ  Ｔｒａｓｆｅｒをマクロセル基地局１００−１へ送信する（Ｓ４７）。例えば、端末２００−２はマクロセル基地局１００−１との間の無線区間を利用することをマクロセル基地局１００−１に対して宣言している。
【０１２４】
次に、マクロセル基地局１００−１は、Ａｔｔａｃｈ  ＣｏｍｐｌｅｔｅをＭＭＥ３００へ送信する（Ｓ４８）。例えば、マクロセル基地局１００−１は端末２００−２との接続処理が完了したことをＭＭＥ３００へ通知している。
【０１２５】
次に、端末２００−２は、マクロセル基地局１００−１へユーザデータを送信し、マクロセル基地局１００−１はユーザデータをＳ−ＧＷ４００へ送信する（Ｓ４９）。
【０１２６】
一方、ＭＭＥ３００は、Ａｔｔａｃｈ  Ｃｏｍｐｌｅｔｅを受信して、端末２００−２のＳＲＢを設定し、Ｓ−ＧＷ４００に対しては端末２００−２ＤＲＢの設定を要求するべく、Ｂｅａｒｅｒ  ＲｅｑｕｅｓｔをＳ−ＧＷ４００へ送信する（Ｓ５０）。
【０１２７】
例えば、図１６に示すように、ＭＭＥ３００は端末２００−２のＩＤ「ｘｘｘ」とマクロセル基地局１００−１のＩＤ「ｙｙｙ」に対してＳＲＢＩＤ「ｂｂｂ」を設定する。端末２００−２とマクロセル基地局１００−１のＩＤは、例えば、Ｓ４０とＳ４１などによりＭＭＥ３００は取得できる。図１６に示すようなＳＲＢの設定により、例えば、Ｃ−Ｐｌａｎｅについて端末２００−２からマクロセル基地局１００−１を介してＳ−ＧＷ４００に至るまでの経路が設定され、当該経路を利用して制御信号が交換される。
【０１２８】
図１０に戻り、Ｓ−ＧＷ４００は、Ｂｅａｒｅｒ  Ｒｅｑｕｅｓｔを受信すると、端末２００−１についてのＤＲＢを設定し、Ｂｅａｒｅｒ  ＲｅｓｐｏｎｓｅをＭＭＥ３００へ送信する（Ｓ５１）。Ｓ−ＧＷ４００は、例えば、Ｂｅａｒｅｒ  Ｒｅｑｕｅｓｔに含まれるマクロセル基地局１００−１と端末２００−２のＩＤなどに基づいてＤＲＢを設定し、図１６に示すように各ＩＤを設定する。これにより、例えば、Ｕ−Ｐｌａｎｅについて端末２００−２からマクロセル基地局１００−１を介してＳ−ＧＷ４００へ至る経路が設定され、当該経路を利用してユーザデータが交換される。Ｂｅａｒｅｒ  Ｒｅｓｐｏｎｓｅ（Ｓ５１）により、Ｓ−ＧＷ４００で設定されたＤＲＢに関する情報がＭＭＥ３００へ送信されてもよい。  
【０１２９】
図１０に戻り、次に、Ｓ−ＧＷ４００は設定されたＤＲＢに従って、ユーザデータをマクロセル基地局１００−１へ送信し、マクロセル基地局１００−１はユーザデータを端末２００−２へ送信する（Ｓ５２）。
【０１３０】
＜２．２  基地局間ＣＡの設定処理＞
図１１は基地局間ＣＡの設定処理の例を表している。処理は図１０から継続しているものとする。
【０１３１】
端末２００−２は、Ｍｅａｓｕｒｅｍｅｎｔ  Ｒｅｐｏｒｔをマクロセル基地局１００−１へ送信する（Ｓ５５）。例えば、端末２００−２は、このＭｅａｓｕｒｅｍｅｎｔ  Ｒｅｐｏｒｔの送信により、基地局間ＣＡを行うことを要求している。
【０１３２】
次に、マクロセル基地局１００−１はスモールセル基地局１００−２について基地局間ＣＡを行うことができるか否かを判別する（Ｓ５６）。例えば、マクロセル基地局１００−１は、スモールセル基地局１００−２の設置場所がマクロセル基地局１００−１のサービスエリア１００−Ｍの範囲内か否かなどを判別する。
【０１３３】
マクロセル基地局１００−１は、スモールセル基地局１００−２に対して基地局間ＣＡを行うことができないと判別すると（Ｓ５６でＮｏ）、Ｓ５６の処理へ移行して上述した処理を繰り返す。
【０１３４】
一方、マクロセル基地局１００−１は、スモールセル基地局１００−２に対して基地局間ＣＡを行うことができると判別すると（Ｓ５６でＹｅｓ）、基地局間ＣＡに関するＣＡ  Ｒｅｑｅｕｓｔをスモールセル基地局１００−２へ送信する（Ｓ５７）。例えば、マクロセル基地局１００−１はスモールセル基地局１００−２に対して基地局間ＣＡを行うことを要求している。
【０１３５】
ＣＡ  Ｒｅｑｕｅｔを受信したスモールセル基地局１００−２は、ＣＡ  Ａｃｋｎｏｗｌｅｄｇｅをマクロセル基地局１００−１へ送信する（Ｓ５８）。例えば、スモールセル基地局１００−２は、基地局間ＣＡについて許可することをマクロセル基地局１００−１へ通知している。
【０１３６】
次に、マクロセル基地局１００−１は、ＲＲＣ  Ｃｏｎｎｅｃｔｉｏｎ  Ｒｅｃｏｎｆｉｇｕｒａｔｉｏｎを端末２００−２へ送信する（Ｓ５９）。例えば、マクロセル基地局１００−１は、基地局間ＣＡの要求に対して許可することを端末２００−２へ通知している。
【０１３７】
次に、端末２００−２は、ＲＲＣ  Ｃｏｎｎｅｃｔｉｏｎ  Ｒｅｃｏｎｆｇｉｕｒａｔｉｏｎ  Ｃｏｍｐｌｅｔｅをマクロセル基地局１００−１へ送信する（Ｓ６０）。例えば、端末２００−２は、スモールセル基地局１００−２に対してどのＵ−Ｐｌａｎｅを使用するかをマクロセル基地局１００−１へ通知している。
【０１３８】
次に、マクロセル基地局１００−１は、ＳＮ  Ｓｔａｔｕｓ  Ｔｒａｎｓｆｅｒをスモールセル基地局１００−２へ送信する（Ｓ６１）。例えば、マクロセル基地局１００−１は、基地局間ＣＡに関する情報をスモールセル基地局１００−２へ送信している。  
【０１３９】
次に、スモールセル基地局１００−２は、ユーザデータを端末２００−２へ送信する（Ｓ６２）。また、端末２００−２は、スモールセル基地局１００−２へユーザデータを送信する（Ｓ６３）。
【０１４０】
次に、スモールセル基地局１００−２はＰａｔｈ  Ｓｗｉｔｃｈ  ＲｅｑｕｅｓｔをＭＭＥ３００へ送信する（Ｓ６４）。例えば、スモールセル基地局１００−２は、経路切り替え要求をＭＭＥ３００へ送信することで、基地局間ＣＡをマクロセル基地局１００−１と行うことをＭＭＥ３００へ要求している。スモールセル基地局１００−２は、ＣＡ  Ｒｅｑｅｕｓｔ（Ｓ５７）、ＳＮ  Ｓｔａｔｕｓ  Ｔｒａｎｓｆｅｒ（Ｓ６１）、又はユーザデータ（Ｓ６３）の受信を契機に、Ｐａｔｈ  Ｓｗｉｔｃｈ  Ｒｅｑｕｅｓｔを送信してもよい。
【０１４１】
次に、ＭＭＥ３００はＭｏｄｉｆｙ  Ｂｅａｒｅｒ  ＲｅｑｕｅｓｔをＳ−ＧＷ４００へ送信する（Ｓ６５）。例えば、ＭＭＥ３００は、スモールセル基地局１００−２と端末２００−２との間でＤＲＢを設定することをＳ−ＧＷ４００へ要求している。
【０１４２】
本処理（Ｓ６５）において、ＭＭＥ３００は設定したＳＲＢに関する情報をＭｏｄｉｆｙ  Ｂｅａｒｅｒ  Ｒｅｑｕｅｓｔ内に含めてＳ−ＧＷ４００へ送信することもできる。Ｓ−ＧＷ４００は、設定されたＳＲＢの情報に従って、端末２００−２との間で制御信号を交換できる。
【０１４３】
次に、Ｓ−ＧＷ４００は、端末２００−２のＤＲＢに関する設定を行い、Ｍｏｄｉｆｙ  Ｂｅａｒｅｒ  ＲｅｓｐｏｎｓｅをＭＭＥ３００へ送信する（Ｓ６６）。
【０１４４】
図１７は端末２００−２によってＤＲＢが設定された後のＤＲＢとＳＲＢの設定例を表している。図１７に示すように、Ｓ−ＧＷ４００は、端末２００−２のＩＤ「ｘｘｘ」、スモールセル基地局１００−２のＩＤ「ｚｚｚ」に対してＤＲＢＩＤ「ｃｃｃ」を新たに設定している。これにより、例えば、Ｕ−Ｐｌａｎｅについて端末２００−２からスモールセル基地局１００−２を経由してＳ−ＧＷ４００に至る経路が追加され、基地局間ＣＡが可能な状態にさせることができる。
【０１４５】
図１１に戻り、次に、Ｓ−ＧＷ４００は設定したＤＲＢに従って、ユーザデータをスモールセル基地局１００−２へ送信し、スモールセル基地局１００−２はユーザデータを端末２００−２へ送信する（Ｓ６７）。この場合、Ｓ−ＧＷ４００は設定したＤＲＢに従って、ユーザデータをマクロセル基地局１００−１へ送信してもよい。
【０１４６】
次に、ＭＭＥ３００は  Ｐａｔｈ  Ｓｗｉｔｃｈ  Ｒｅｑｕｅｓｔ  Ａｃｋｎｏｗｌｅｄｇｅをスモールセル基地局１００−２へ送信する（Ｓ６８）。例えば、ＭＭＥ３００は、経路切替要求（Ｓ６４）に対する許可応答メッセージをスモールセル基地局１００−２へ送信している。
【０１４７】
＜２．３  絞込み処理（又はＣ−Ｐｌａｎｅの移行判定処理）＞
図１２はＣ−Ｐｌａｎｅの移行判別処理の例を表す図である。本処理は基地局間ＣＡの設定処理（例えば図１１）が行われた後で行われる。
【０１４８】
絞込み処理は、上述したように、端末２００−２の位置判定（「ＵＥロケーションの絞り混み」）と端末２００−２の移動性（「ＵＥ移動性の絞込み」）に基づいて行われる。位置判定はスモールセル基地局１００−２で行われ、Ｓ７１〜Ｓ７５の処理に対応する。また、移動性の判定はマクロセル基地局１００−１で行われ、Ｓ７６〜Ｓ７９に対応する。
【０１４９】
位置判定は、以下のようになる。すなわち、スモールセル基地局１００−２はユーザデータを端末２００−２へ送信したときにタイマを起動する（Ｓ７０，Ｓ７１）。例えば、スモールセル基地局１００−２のＲＴＴ計測部１３７は送信ベースバンド部１３１−１から端末２００−２宛のベースバンド信号が送信された時点からタイマを起動する。
【０１５０】
次に、スモールセル基地局１００−２は、送信したユーザデータ（Ｓ７０）に対するＣＱＩ（Channel Quality Indictor：チャネル品質インジケータ（又は通信品質））を受信し（Ｓ７２）、受信したときにタイマを停止させる（Ｓ７３）。例えば、ＲＴＴ計測部１３７は、受信ベースバンド部１３１−２からＣＱＩ信号を受け取った時点でタイマを停止する。
【０１５１】
次に、スモールセル基地局１００−２は、計測したタイマ値に基づいてＲＴＴ値を計測する（Ｓ７４）。例えば、ＲＴＴ計測部１３７は、タイマ開始からタイマ停止までの時間を計測し、この間の時間の１／２（又は送受信の折り返し時間）をＲＴＴとする。この場合、ＲＴＴ計測部１３７は、無線フレーム内におけるユーザデータのスロット位置についてのオフセット値やオフセットフレームなどを考慮してＲＴＴを計測してもよい。
【０１５２】
次に、スモールセル基地局１００−２は、ＲＴＴ値より端末２００−２が在圏する、スモールセル基地局１００−２のサービスエリア１００−Ｓを判定する（Ｓ７５）。
【０１５３】
サービスエリア１００−Ｓのどの位置に端末２００−２が在圏するかについては、例えば、以下のようにして行われる。すなわち、スモールセル基地局１００−２と端末２００は、送受信される無線信号についてサンプリング周波数３０．７２ＭＨｚでサンプリングしている。この場合、無線信号の１周期分の伝送時間は１／３０．７２Ｍ＝３２．５５ｎｓとなる。空気中の電磁波の伝送時間を５ｎｓ／ｍとすると、無線信号は３２．５５／５≒６．５ｍ程度の精度が確保可能となる。サービスエリア１００−Ｓの半径を３００ｍとすると、サービスエリア１００−Ｓの半径を３００／６．５≒４６領域に分割し、分割された各領域内において端末２００−２が位置しているか否かをスモールセル基地局１００−２は判別可能となる。図１４はそのように分割されたサービスエリア１００−Ｓの分割例を表している。例えば、ＲＴＴ計測部１３７は、ＲＴＴ値に基づいて、スモールセル基地局１００−２から端末２００−２までの直線距離（＝５ｎｓ×ＲＴＴ）を算出し、算出した直線距離が４６分割された各領域のどの位置に位置するかを算出する。そして、ＲＴＴ計測部１３７は算出した位置情報（例えば、図１４に示すようにエリア＃１、エリア＃２など）を制御部１３４へ出力し、制御部１３４は内部メモリなどに位置情報を一時記憶する。これにより、スモールセル基地局１００−２は端末２００−２の位置を取得できる。
【０１５４】
図１２に戻り、一方、端末２００−２はＣＱＩ情報をスモールセル基地局１００−２へ送信後（Ｓ７２）、１０秒間タイマを起動する（Ｓ７６）。例えば、端末２００−２の制御部２３３はタイマを内部に保持し、当該タイマを起動することで本処理を行う。
【０１５５】
次に、端末２００−２は、速度センサ２３２にて自局の移動速度を計測する（Ｓ７７）。
【０１５６】
次に、端末２００−２は、１０秒経過したか否かを判別し（Ｓ７８）、経過していなければ（Ｓ７８でＮｏ）、Ｓ７６へ処理を移行させて上述の処理を繰り返す。
【０１５７】
一方、端末２００−２は、１０秒経過したとき（Ｓ７８でＹｅｓ）、１０秒間の移動速度の平均値を算出する（Ｓ７９）。例えば、速度センサ２３２は計測した移動速度を随時、制御部２３３へ出力し、制御部２３３は１０秒間における移動速度の平均値を算出する。
【０１５８】
次に、端末２００−２は、Ｍｅａｓｕｒｅｍｅｎｔ  Ｒｅｐｏｒｔをマクロセル基地局１００−１へ送信する（Ｓ８０）。例えば、端末２００−２は移動平均速度をＭｅａｓｕｒｅｍｅｎｔ  Ｒｅｐｏｒｔによりマクロセル基地局１００−１へ送信している。例えば、制御部２３３は算出した移動速度の平均値を含むＭｅａｓｕｒｅｍｅｎｔ  Ｒｅｐｏｒｔを生成して、ベースバンド部２２０と無線部２１０に対して生成したＭｅａｓｕｒｅｍｅｎｔ  Ｒｅｐｏｒｔを送信するよう指示する。
【０１５９】
マクロセル基地局１００−１は、Ｍｅａｓｕｒｅｍｅｎｔ  Ｒｅｐｏｒｔを受信すると（Ｓ８０）、端末２００−２の移動速度は速度閾値以下か否かを判別する（Ｓ８１）。例えば、マクロセル基地局１００−１の制御部１２５はメモリ１２６に記憶された移動速度閾値を読み出して、当該移動速度閾値と、Ｍｅａｓｕｒｅｍｅｎｔ  Ｒｅｐｏｒｔに含まれる移動速度平均とを比較して判別する。
【０１６０】
マクロセル基地局１００−１は、移動速度が速度閾値より速いとき（Ｓ８１でＮｏ）、Ｓ８０の処理へ移行して上述した処理を繰り返す。
【０１６１】
一方、マクロセル基地局１００−１は、移動速度が速度閾値以下のとき（Ｓ８１でＹｅｓ）、端末２００−２をＣ−Ｐｌａｎｅ処理移行対象候補の端末に設定する（Ｓ８２）。例えば、制御部１２５は、端末２００−２の移動速度が移動速度閾値以下のとき、Ｃ−Ｐｌａｎｅ処理移行対象候補の端末として、メモリ１２６に記憶する。
【０１６２】
次に、マクロセル基地局１００−１は、Ｘ２インターフェイスを利用して、スモールセル基地局１００−２に対して、端末２００−２の位置について問合わせる（Ｓ８３）。
【０１６３】
スモールセル基地局１００−２は、端末２００−２の位置の問合せ（Ｓ８３）に対して、端末２００−２の位置情報をマクロセル基地局１００−１へ通知する（Ｓ８４）。例えば、スモールセル基地局１００−２の制御部１３４はメモリ１３６に記憶した端末２００−２の位置情報（Ｓ７５、例えば、エリア＃１など）を読み出して、伝送路インターフェイス部１３２を介してマクロセル基地局１００−１へ送信する。
【０１６４】
次に、マクロセル基地局１００−１は、端末２００−２の移動性（又は移動速度平均値（Ｓ７９））と、端末２００−２の位置（又は位置情報（Ｓ７５））とに基づいて、Ｃ−Ｐｌａｎｅを移行させるか否かを判別する（Ｓ８５）。本第２の実施の形態では、マクロセル基地局１００−１は、ＨＯ判定マトリクスを用いて判定する。
【０１６５】
図１５はＨＯ判定マトリクス１２６１の例を表す図である。例えば、ＨＯ判定マトリクス１２６１はマクロセル基地局１００−１のメモリ１２６に記憶されている。ＨＯ判定マトリクス１２６１は、「セルエリア」の項目と「移動速度」の項目がある。例えば、「セルエリア」は端末２００−２の位置情報に対応し、「移動速度」は端末２００−２の移動速度平均値に対応する。ＨＯ判定マトリクス１２６１はこの２つの項目に対応して、「Ｓ」と「Ｍ」が記憶されている。「Ｓ」は、例えば、スモールセル基地局１００−２へハンドオーバさせることを表す。また、「Ｍ」は、例えば、スモールセル基地局１００−２へハンドオーバしないでマクロセル基地局１００−１に留まらせることを表している。
【０１６６】
例えば、制御部１２５は、端末２００−２から取得した移動速度平均値（Ｓ８０）と、スモールセル基地局１００−２から取得した端末２００−２の位置情報（Ｓ８４）に基づいて、ＨＯ判定マトリクス１２６１の該当する項目「Ｓ」又は「Ｍ」を取得する。そして、制御部１２５は、「Ｓ」の場合、スモールセル基地局１００−２へのＣ−Ｐｌａｎｅ移行処理を行うと判定し、「Ｍ」の場合はＣ−Ｐｌａｎｅの移行処理を行わないと判定する。
【０１６７】
図１５に示すＨＯ判定マトリクス１２６１は、例えば、以下のようになっている。
【０１６８】
すなわち、スモールセル基地局１００−２のサービスエリア１００−Ｓのセル端（エリア番号「４６」や「４５」など）に在圏する端末２００−２は、移動速度に拘わらずマクロセル基地局１００−１のサービスエリア１００−Ｍへ移動する可能性は他と比較して高い。そのため、サービスエリア１００−Ｓのセル端に在圏する端末２００−２のＣ−Ｐｌａｎｅ処理はそのままマクロセル基地局１００−１に維持させておくようにする。
【０１６９】
一方、スモールセル基地局１００−２のサービスエリア１００−Ｓの中心（エリア番号「１」や「２」など）に在圏する端末２００−２は、移動速度に拘わらずサービスエリア１００−Ｓに所定時間以上在圏する可能性は他の場合よりも高い。そのため、このような端末２００−２のＣ−Ｐｌａｎｅ処理についてはスモールセル基地局１００−２へ移行させるようにする。Ｃ−Ｐｌａｎｅ処理がマクロセル基地局１００−１からスモールセル基地局１００−２へ移行させることで、マクロセル基地局１００−１のＣ−Ｐｌａｎｅ処理負荷が軽減され、Ｃ−Ｐｌｎａｅ処理の輻輳の発生を防止することができる。
【０１７０】
また、サービスエリア１００−Ｓの中間位置付近（エリア番号「１８」、「１９」など）では、移動速度が他よりも遅い場合に、端末２００−２のＣ−Ｐｌａｎｅ処理をスモールセル基地局１００−２へ移行させるようにしている。これは、例えば、このような位置に在圏する端末２００−２は、サービスエリア１００−Ｓに所定時間以上在圏する可能性が他の場合よりも高いためである。
【０１７１】
一方、サービスエリア１００−Ｓの中間位置付近において、移動速度が他よりも速い場合、端末２００−２のＣ−Ｐｌａｎｅ処理を移行させないでマクロセル基地局１００−１配下のままとしている。これは、例えば、このような位置に在圏する端末２００−２は、スモールセル基地局１００−２のサービスエリア１００−Ｓからマクロセル基地局１００−１のサービスエリア１００−Ｍへ移動する可能性が他の場合よりも高いからである。
【０１７２】
図１２に戻り、マクロセル基地局１００−１は、ＨＯ判定マトリクス１２６１に基づいてハンドオーバ可、すなわち、端末２００−２のＣ−Ｐｌａｎｅをスモールセル基地局１００−２へ移行させると判定すると（Ｓ８６でＹｅｓ）、図１３の処理へ移行する。
【０１７３】
一方、マクロセル基地局１００−１は、ＨＯ判定マトリクス１２６１に基づいて、ハンドオーバしない、すなわち、Ｃ−Ｐｌａｎｅ処理を移行させないと判定すると（Ｓ８６でＮｏ）、Ｓ８０へ処理を移行させ、上述した処理を繰り返す。
【０１７４】
＜２．４  Ｃ−Ｐｌａｎｅの移行処理＞
図１３はＣ−Ｐｌａｎｅの移行処理を表している。ただし、当該処理は、端末２００−２についてマクロセル基地局１００−１からスモールセル基地局１００−２へのハンドオーバ（以下、「ＨＯ」と称する場合がある）処理により実現している。
【０１７５】
マクロセル基地局１００−１は、ＨａｎｄＯｖｅｒ  Ｒｅｑｕｅｓｔをスモールセル基地局１００−２へ送信する（Ｓ９０）。例えば、マクロセル基地局１００−１はＣ−Ｐｌａｎｅ処理の移行をスモールセル基地局１００−２へ要求している。このような要求は、例えば、マクロセル基地局１００−１の制御部１２５において生成され、伝送路インターフェイス部１２２を介してスモールセル基地局１００−２へ送信される。
【０１７６】
次に、スモールセル基地局１００−２は、ＨａｎｄＯｖｅｒ  Ａｃｋｎｏｗｌｅｄｇｅをマクロセル基地局１００−１へ送信する（Ｓ９１）。例えば、スモールセル基地局１００−２は、Ｃ−Ｐｌａｎｅ処理の移行要求に対して、当該移行要求を許可する許可応答をマクロセル基地局１００−１へ送信している。
【０１７７】
次に、マクロセル基地局１００−１は、ＲＲＣ  Ｃｏｎｎｅｃｔｉｏｎ  Ｒｅｃｏｎｆｉｇｕｒａｔｉｏｎを端末２００−２へ送信する（Ｓ９２）。例えば、マクロセル基地局１００−１は、Ｃ−Ｐｌａｎｅ処理についてマクロセル基地局１００−１からスモールセル基地局１００−２へ移行することを、端末２００−２へ通知している。
【０１７８】
次に、端末２００−２は、ＲＲＣ  Ｃｏｎｎｅｃｔｉｏｎ  Ｒｅｃｏｎｆｉｇｕｒａｔｉｏｎ  Ｃｏｍｐｌｅｔｅを、マクロセル基地局１００−１へ送信する（Ｓ９３）。
【０１７９】
次に、マクロセル基地局１００−１は、ＳＮ  ｓｔａｔｕｓ  Ｔｒａｎｓｆｅｒをスモールセル基地局１００−２へ送信する（Ｓ９４）。例えば、マクロセル基地局１００−１は、ハンドオーバに関する情報（端末２００−２のＩＤや転送パケットに関する情報など）をスモールセル基地局１００−２へ通知している。
【０１８０】
次に、スモールセル基地局１００−２は、Ｐａｔｈ  Ｓｗｉｔｃｈ  ＲｅｑｕｅｓｔをＭＭＥ３００へ送信する（Ｓ９５）。例えば、スモールセル基地局１００−２は、端末２００−２のＣ−Ｐｌａｎｅ処理を自局に設定するようにＭＭＥ３００へ要求している。
【０１８１】
Ｐａｔｈ  Ｓｗｉｔｃｈ  Ｒｅｑｕｅｓｔにより、例えば、スモールセル基地局１００−２が、端末２００−２に対するＣ−Ｐｌａｎｅ処理をマクロセル基地局１００−１からスモールセル基地局１００−２へ移行することを要求している。この場合、スモールセル基地局１００−２はハンドオーバ要求（Ｓ９０）や、ハンドオーバに関する情報の通知（Ｓ９４）の受信を契機にして、移行要求をＭＭＥ３００へ通知している。従って、マクロセル基地局１００−１は、ハンドオーバ要求やハンドオーバに関する情報の通知により、ＭＭＥ３００に対して、Ｃ−Ｐｌａｎｅ処理のスモールセル基地局１００−２への移行を要求している。これらのメッセージ（Ｓ９０やＳ９４、Ｓ９５）は、例えば、Ｃ−Ｐｌａｎｅ処理の移行を要求する要求メッセージを表している。
【０１８２】
次に、ＭＭＥ３００は、Ｃ−Ｐｌａｎｅをスモールセル基地局１００−２へ移行させるようＳＲＢの設定を変更し、Ｐａｔｈ  Ｓｗｉｔｃｈ  Ｒｅｑｕｅｓｔ  Ａｃｋｎｏｗｌｅｄｇｅをスモールセル基地局１００−２へ送信する（Ｓ９８）。例えば、ＭＭＥ３００では、端末２００−２のＳＲＢについて、端末２００−２からマクロセル基地局１００−１経由に設定されていたものと、スモールセル基地局１００−２経由となるように変更する。
【０１８３】
図１８は、Ｃ−Ｐｌａｎｅ処理が移行された後のＳＲＢとＤＲＢの設定例を表している。図１８に示すように、ＳＲＢについては、端末２００−２のＩＤ「ｘｘｘ」とスモールセル基地局１００−２のＩＤ「ｚｚｚ」に対してＳＲＢＩＤ「ｂｂｂ」が設定されている。また、ＤＲＢについても、端末２００−２のＩＤ「ｘｘｘ」とスモールセル基地局１００−２のＩＤ「ｚｚｚ」に対してＤＲＢＩＤ「ｃｃｃ」が設定されている。なお、ＤＲＢの設定は、例えば、ＭＭＥ３００がＳ−ＧＷ４００に対して、Ｍｏｄｉｆｙ  Ｂｅａｒｅｒ  Ｒｅｑｕｅｓｔを送信することで行われてもよい。以上の設定は、例えば、ＭＭＥ３００の制御部３２０で行われる。
【０１８４】
図１３に戻り、スモールセル基地局１００−２は、ＭＭＥ３００からＰａｔｈ  Ｓｗｉｔｃｈ  Ｒｅｑｕｅｓｔ  Ａｃｋｎｏｗｌｅｄｇｅを受信すると（Ｓ９６）、ＵＥ  Ｃｏｎｔｅｘｔ  Ｒｅｌｅａｓｅをマクロセル基地局１００−１へ送信する（Ｓ９７）。例えが、スモールセル基地局１００−２は、マクロセル基地局１００−１に対してＣ−Ｐｌａｎｅ処理の移行が終了したことを通知し、保持していた端末２００−２に関する情報を削除してもよいことを通知している。
【０１８５】
＜２．５  絞込み方法についてその他の条件＞
次に、絞込み方法のその他の条件について説明する。ここで説明する条件は、例えば、図９０の「その他の条件」（Ｓ３０でＹｅｓ、Ｓ３２）に対応する。例えばマクロセル基地局１００−１ではＣ−Ｐｌａｎｅ処理の移行対象となる端末２００−２について、移動速度から設定したり（例えば図１２のＳ８２）やＨＯ判定マトリクス１２６１で判定するようにした（例えば図１２のＳ８５）。ここでは、そのような端末２００−２の選択（例えばＳ８２やＳ８５）に際して、Ｃ−Ｐｌａｎｅ処理の移行対象から外す例について説明する。そのような判定により、例えば、マクロセル基地局１００−１の処理軽減を図ることができる。
【０１８６】
例えば、ハンドオーバ回数が所定の回数閾値よりも多いとき、そのような端末２００−２はマクロセル基地局１００−１からスモールセル基地局１００−２へのハンドオーバやその逆のハンドオーバも、他の場合と比較して多い。また、端末２００−２の在圏位置もすくに変わる場合もある。本第２の実施の形態においては、ハンドオーバの回数について、回数閾値以上繰り返す端末２００−２について、Ｃ−Ｐｌａｎｅ処理の移行対象となる端末２００−２から外すようにすることができる。このような端末２００−２は、スモールセル基地局１００−２のサービスエリア１００−Ｓに所定時間以上継続して在圏する可能性が他の場合と比較して少ないからである。
【０１８７】
図１９はハンドオーバ回数の算出処理の例を表している。例えば、端末２００の制御部２３３で行われる。
【０１８８】
端末２００は処理を開始すると（Ｓ１００）、ＨＯ回数報告タイミングを確認し（Ｓ１０１）、当該タイミングのときは報告すると判定する（Ｓ１０２でＹＥＳ）。一方、端末２００は、ＨＯ報告タイミングでないときは報告しないと判定する（Ｓ１０２でＮＯ）。
【０１８９】
端末２００は、ＨＯ回数報告タイミングのとの（Ｓ１０２でＹＥＳ）、ＲＲＣ  Ｃｏｎｎｅｃｔｉｏｎ  Ｒｅｃｏｎｆｉｇｕｒａｔｉｏｎ  Ｃｏｍｐｌｅｔｅの送信メッセージを確認し（Ｓ１０３）、当該メッセージを送信したか否かを判別する（Ｓ１０４）。
【０１９０】
端末２００は、当該メッセージを送信した場合、ＨＯ回数をインクリメントする（Ｓ１０５）。当該メッセージは端末２００がハンドオーバを行うときに送信されるメッセージであることを利用している。
【０１９１】
一方、端末２００は、当該メッセージを送信していないとき（Ｓ１０４でＮＯ）、Ｓ１０１へ処理を移行させ、上述した処理を繰り返す。
【０１９２】
そして、端末２００は、ＨＯ回数をインクリメントすると、処理を終了するか否かを判別し（Ｓ１０６）、終了しないとき（Ｓ１０６でＮＯ），Ｓ１０１へ処理を移行させて上述した処理を繰り返す。一方、端末２００は処理を終了させるとき（Ｓ１０６でＹＥＳ）、一連の処理を終了する。
【０１９３】
一方、端末２００は、ＨＯ報告タイミングでないとき（Ｓ１０２でＮＯ）、これまでカウントしたＨＯ回数をマクロセル基地局１００−１へ送信する（Ｓ１０８）。例えば、端末２００はＨＯ回数をＵＬ  ＤＣＣＨ（Uplink Dedicated Control Channel）を利用して送信する。
【０１９４】
次に、端末２００は、ＨＯ回数をリセットし（Ｓ１０９）、Ｓ１０１へ処理を移行させる。
【０１９５】
図２０はＨＯ回数についてマクロセル基地局１００−１においてカウントする例を表している。この場合、ＨＯ報告タイミング（図１９のＳ１０２、Ｓ１０３）に代えて、Ｃ−Ｐｌａｎｅ処理移行候補の端末２００の選定要否について確認するか否か（Ｓ１２１、Ｓ１２２）となっている。マクロセル基地局１００−１では、当該選定要否を確認するタイミングでＨＯ回数のカウントタイミングを決定している。
【０１９６】
また、ＲＲＣ  Ｃｏｎｎｅｃｔｉｏｎ  Ｒｅｃｏｎｆｉｇｕｒａｔｉｏｎ  Ｃｏｍｐｌｅｔｅの送信（図１９の１０４）に代えて、当該メッセージに受信（Ｓ１３４）により、ＨＯ回数のインクリメントが行われる（Ｓ１３５）。
【０１９７】
絞込み方法のその他の例として、端末２００の属性に基づいて、マクロセル基地局１００−１がＣ−Ｐｌａｎｅ処理の移行を行うか否かを判別するようにしてもよい。例えば、マクロセル基地局１００−１は、端末２００から通知された自局の属性情報（ＶＩＰ（Very Important User）ユーザであることなど）に基づいて判別してもよい。
【０１９８】
例えば、端末２００がスマートメータの場合の例がある。端末２００は属性情報としてスマートメータであることをマクロセル基地局１００−１へ通知してもよい。又は、端末２００が移動性情報として移動速度平均値を送信する（図１２のＳ７６〜Ｓ７９）ことに代えて、スモールセル基地局１００−２へのＣ−Ｐｌａｎｅの移行処理が行われないように、固定値をマクロセル基地局１００−１へ送信してもよい。
【０１９９】
図２１はかかる場合の動作例を表している。すなわち、端末２００−２は基地局間ＣＡにより２つの基地局１００−１，１００−２との間でＤＲＢが設定され（Ｓ１５０，Ｓ１５１）、Ｃ／Ｕ分離型ＨｅｔＮｅｔとして、ＳＲＢがマクロセル基地局１００−１に設定されている（Ｓ１５１）。
【０２００】
端末２００−２は、移動性を判別し（Ｓ１５２）、スマートメータとして固定値を報告する（Ｓ１５３，Ｓ１５４）。一方、マクロセル基地局１００−１は端末２００−２の位置を取得する（Ｓ１５５）。位置の取得は、例えば、図１２のＳ７１からＳ７５により行われてもよい。
【０２０１】
そして、マクロセル基地局１００−１は、報告された端末２００−２の移動性情報（例えば固定値）と、端末２００−２の位置情報に基づいて、Ｃ−Ｐｌａｎｅ処理移行対象か否かを判別する（Ｓ１５７）。この場合、マクロセル基地局１００−１は、スモールセル基地局１００−２へ移行できないような固定値に設定されているため、スモールセル基地局１００−２へのＣ−Ｐｌａｎｅ処理の移行を行わないことを決定する（Ｓ１５７でＮｏ）。そして、Ｃ−Ｐｌａｎｅ処理はマクロセル基地局１００−１において行われることが維持される（Ｓ１５８，Ｓ１５９）。
【０２０２】
このように、本第２の実施の形態では、制御信号に対する処理量が閾値以上であって、サービスエリア１００−Ｓに所定時間以上在圏する端末２００−２の制御信号に対する処理をマクロセル基地局１００−１からスモールセル基地局１００−２へ移行させている。これにより、例えば、マクロセル基地局１００−１において、端末２００−２のＣ−Ｐｌａｎｅ処理がスモールセル基地局１００−２で行われることになり、Ｃ−Ｐｌａｎｅ処理の処理負荷が軽減される。従って、マクロセル基地局１００−１におけるＣ−Ｐｌａｎｅ処理の輻輳を防止することができる。
【０２０３】
［その他の実施の形態］
次にその他の実施の形態について説明する。
【０２０４】
上述した第２の実施の形態においては、端末２００の位置として、ＲＴＴ値に基づいて判別した（図１２のＳ７１〜Ｓ７５）。それ以外にも、例えば、端末２００において受信したリファレンス信号の受信電力値をスモールセル基地局１００−２へ報告し、当該受信電力値に基づいてサービスエリア１００−Ｓのエリア＃１〜＃４６を判別することもできる。この場合も、サービスエリア１００−Ｓのエリア端（例えばエリア＃４５や＃４６など）と判定した端末２００については、マクロセル基地局１００−１はＣ−Ｐｌａｎｅ処理の移行対象から外すようにすることもできる。
【０２０５】
或いは、受信電力値に代えて、ＧＰＳ（Global Positioning System）により端末２００−２がその位置情報を取得して、スモールセル基地局１００−２へ報告してもよい。
【０２０６】
このような端末２００−２の位置情報に関して、マクロセル基地局１００−１はスモールセル基地局１００−２のサービスエリア１００−Ｓのセル端に在圏する端末２００−２についてＣ−Ｐｌａｎｅ処理の移行対象外とすることもできる。
【０２０７】
また、上述した第２の実施の形態においては、端末２００の移動性情報については平均移動速度の例について説明した（図１２のＳ７６〜Ｓ７９）。平均移動速度に代えて、端末２００−２のＨｏｌｄボタンによりＵＥの移動性情報が取得されてもよい。Ｈｏｌｄボタンは、例えば、端末２００−２がその場に留まって移動しないことを表しており、当該ボタンが押圧されると端末２００−２は当該ボタンが押圧されたことを、及び押圧された時間をマクロセル基地局１００−１へ通知するようにしてもよい。このような場合、マクロセル基地局１００−１はそのような端末２００−２はスモールセル基地局１００−２から移動しないことが予想されるため、スモールセル基地局１００−２へのＣ−Ｐｌａｎｅ処理を移行させることができる。
【０２０８】
また、端末２００−２はＧＰＳ情報を取得し、これをマクロセル基地局１００−１へ報告させて、端末２００の移動性情報の判定に用いてもよい。或いは、端末２００−２の加速度センサや歩数計などの情報を、端末２００の移動性情報としてマクロセル基地局１００−１へ報告してもよい。
【０２０９】
さらに、第２の実施の形態においては、端末２００−２のＣ−Ｐｌａｎｅ処理がスモールセル基地局１００−２へ移行することについて説明した。移行後において、スモールセル基地局１００−２では、マクロセル基地局１００−１における端末２００−２の移動性情報の取得と位置情報の取得を行い、ＨＯ判定マトリクス１２６１によりＣ−Ｐｌａｎｅ処理のマクロセル基地局１００−１への移行を判定してもよい。この場合、ＨＯ判定マトリクス１２６１は、図１５においては「Ｍ」がスモールセル基地局１００−２からマクロセル基地局１００−１へのＨＯ実施（Ｃ−Ｐｌａｎｅ処理をマクロセル基地局１００−１へ移行）、「Ｓ」がＨＯ実施しない（Ｃ−Ｐｌａｎｅ処理はスモールセル基地局１００−２のまま）となる。
【０２１０】
さらに、第２の実施の形態においてはマクロセル基地局１００−１、スモールセル基地局１００−２、及び端末２００の構成例について説明した。図２２はマクロセル基地局１００−１、図２３はスモールセル基地局１００−２、図２４は端末２００のハードウェアの構成例をそれぞれ表している。
【０２１１】
マクロセル基地局１００−１は、さらに、ＣＰＵ（Central Processing Unit）１５０、ＲＯＭ（Read Only Memory）１５１、ＲＡＭ（Random Access Memory）、及び内部バス１５３を備える。
【０２１２】
ＣＰＵ１５０は、ＲＯＭ１５１に記憶されたプログラムを読み出して、ＲＡＭ１５２へロードし、ロードしたプログラムを実行することで、ベースバンド部１２１と制御部１２５の機能を実行できる。ＣＰＵ１５０は、例えば、第２の実施の形態におけるベースバンド部１２１と制御部１２５に対応する。
【０２１３】
スモールセル基地局１００−２は、さらに、ＣＰＵ１６０、ＲＯＭ１６１、ＲＡＭ１６２、及び内部バス１６３を備える。
【０２１４】
ＣＰＵ１６０も、ＲＯＭ１６１に記憶されたプログラムを読み出して、ＲＡＭ１６２へロードし、ロードしたプログラムを実行する。これにより、例えば、ＣＰＵ１６０は、送信ベースバンド部１３１−１、受信ベースバンド部１３１−２、タイミング制御部１３３、制御部１３４、及びＲＴＴ計測部１３７の機能を実行できる。ＣＰＵ１６０は、例えば、第２の実施の形態における２つのベースバンド部１３１−１，１３１−２、タイミング制御部１３３、制御部１３４、及びＲＴＴ計測部１３７に対応する。
【０２１５】
端末２００は、さらに、第１のＣＰＵ２５０、ＲＯＭ２５１、ＲＡＭ２５２、メモリ２５３、第２のＣＰＵ２５４、及び内部バス２５５を備える。
【０２１６】
第１のＣＰＵ２５０と第２のＣＰＵ２５４は、ＲＯＭ２５１に記憶されたプログラムを読み出して、ＲＡＭ２５２へロードし、ロードしたプログラムを実行することで、ベースバンド部２２０や制御部２３３、アプリケーション制御部２２１などの機能を実行できる。例えば、第１のＣＰＵ２５０は、ベースバンド部２２０と制御部２３３に対応し、第２のＣＰＵ２５４は、アプリケーション制御部２２１に対応する。
【０２１７】
図２２〜図２４に示すＣＰＵ１５０，１６０，２５０は、ＭＰＵ（Micro Processing Unit）やＦＰＧＡ（Field Programmable Gate Array）など、他のコントローラであってもよい。また、ＭＭＥ３００の制御部３２０や、Ｓ−ＧＷ４００の制御部４２０とデータ転送部４４０も、例えば、ＣＰＵやＭＰＵなどのコントローラとしてもよい。
【０２１８】
以上まとめると付記のようになる。
【０２１９】
（付記１）
第１のサービスエリアを有し、前記第１のサービスエリアに位置する端末装置とユーザデータを交換する他の基地局装置と、前記第１のサービスエリアを含み前記第１のサービスエリアよりエリアが広い第２のサービスエリアを有し、前記第１のサービスエリアに位置する前記端末装置と制御信号を交換する基地局装置を有する無線通信システムにおける前記基地局装置において、
前記制御信号に対する処理量が第１の閾値以上であって、前記第１のサービスエリアに所定時間以上在圏する前記端末装置の前記制御信号に対する処理を前記基地局装置から前記他の基地局装置へ移行させる制御部
を備えることを特徴とする基地局装置。
【０２２０】
（付記２）
前記制御部は、前記端末装置の位置を示す位置情報と前記端末装置の移動速度を示す移動速度情報に基づいて、前記端末装置が前記第１のサービスエリアに所定時間以上在圏するか否かを判別することを特徴とする付記１記載の基地局装置。
【０２２１】
（付記３）
前記制御部は、前記制御信号に対する処理が前記閾値以上のとき、前記端末装置の位置を示す位置情報と前記端末装置の移動速度を示す移動速度情報に基づいて、前記制御信号に対する処理を前記他の基地局装置へ移行させるか否かを判別し、判別した判別結果に従って前記制御信号に対する処理を前記基地局装置から前記他の基地局装置へ移行させることを特徴とする付記１記載の基地局装置。
【０２２２】
（付記４）
前記制御部は、前記端末装置の前記位置情報と前記移動速度情報に基づいて、前記端末装置が前記第１のサービスエリアの中心から第２の閾値以内の距離に在圏し、前記端末装置の移動速度が第３の閾値以下のとき、当該端末装置に対する前記制御信号の処理を前記他の基地局装置へ移行させると判別することを特徴とする付記３記載の基地局装置。
【０２２３】
（付記５）
前記制御部は、前記端末装置の前記位置情報と前記移動速度情報に基づいて、前記端末装置が前記第２のサービスエリアの中心から前記第２の閾値よりも離れた距離に在圏し、前記端末装置の移動速度が前記第３の閾値よりも速いとき、当該端末装置に対する前記制御信号の処理を前記他の基地局装置へ移行させないで前記基地局装置において当該端末装置に対する前記制御信号に対する処理を行うことを特徴とする付記３記載の基地局装置。
【０２２４】
（付記６）
前記制御部は、前記端末装置が前記第２のサービスエリアの中心から前記第２の閾値以内の距離に在圏するとき、当該端末装置の前記制御信号の処理を前記他の基地局装置へ移行させると判別することを特徴とする付記３記載の基地局装置。
【０２２５】
（付記７）
前記制御部は、前記端末装置が前記第２のサービスエリアの端部から第４の閾値以内の距離に在圏するとき、当該端末装置の前記制御信号の処理を前記他の基地局装置へ移行させないで前記基地局装置において当該端末装置の前記制御信号に対する処理を行うことを特徴とする付記３記載の基地局装置。
【０２２６】
（付記８）
前記位置情報は前記他の基地局装置が前記端末装置との間で無線通信を行うことで取得され、前記移動速度情報は前記端末装置において取得され、
前記制御部は、前記他の基地局装置から前記位置情報を受信し、前記端末装置から前記移動速度情報を受信することを特徴とする付記３記載の基地局装置。
【０２２７】
（付記９）
前記制御部は、前記制御信号に対する処理量が前記第１の閾値以上になると、前記端末装置の前記制御信号に対する処理を前記基地局装置から前記他の基地局装置へ移行させるか否かを判別し、前記制御信号に対する処理量が前記第１の閾値より少ないときは当該判別を行わないことを特徴とする付記１記載の基地局装置。
【０２２８】
（付記１０）
前記制御部は、前記端末装置が前記基地局装置から前記他の基地局装置及び前記他の基地局装置から前記基地局装置へハンドオーバした回数が第５の閾値以上のとき、前記端末装置が前記第１のサービスエリアに所定時間以上在圏するか否かを判別することなく、当該端末装置の前記制御信号に対する処理を前記他の基地局装置へ移行させないで前記基地局装置において当該端末装置の前記制御信号に対する処理を行うことを特徴とする付記１記載の基地局装置。
【０２２９】
（付記１１）
前記制御部は、前記制御信号の処理が前記他の基地局装置で行うか前記基地局装置で行うかを管理する管理装置に対して、前記端末装置の前記制御信号に対する処理を前記基地局装置から前記他の基地局装置へ移行させることを要求する要求メッセージを通知することを特徴とする付記１記載の基地局装置。
【０２３０】
（付記１２）
前記制御部は、前記端末装置の前記移動速度情報について前記端末装置の属性に応じた固定値が含まれているときは、当該固定値と前記端末装置の位置情報に基づいて、前記端末装置の前記制御信号に対する処理を前記他の基地局装置へ移行させないで前記基地局装置において前記端末装置の前記制御信号に対する処理を行うことを特徴とする付記１記載の基地局装置。
【０２３１】
（付記１３）
端末装置と、
第１のサービスエリアを有し、前記第１のサービスエリアに位置する前記端末装置とユーザデータを交換する第１の基地局装置と、
前記第１のサービスエリアを含み前記第１のサービスエリアよりエリアが広い第２のサービスエリアを有し、前記第１のサービスエリアに位置する前記端末装置と制御信号を交換する第２の基地局装置とを備える無線通信システムにおいて、
前記第２の基地局装置は、
前記制御信号に対する処理量が第１の閾値以上であって、前記第１のサービスエリアに所定時間以上在圏する前記端末装置の前記制御信号に対する処理を前記基地局装置から前記他の基地局装置へ移行させる制御部
を備えることを特徴とする無線通信システム。
【符号の説明】
【０２３２】
１０：無線通信システム                １００−１：マクロセル基地局
１００−２：スモールセル基地局        １００−Ｓ，１００−Ｍ：サービスエリア
１１０：無線部                        １１３：直交変復調部
１２０：制御・ベースバンド部          １２２：伝送路インターフェイス部
１２５：制御部                        １２６：メモリ
１２６１：ＨＯ判定マトリクス          １３０：制御・ベースバンド部
１３２：伝送路インターフェイス部      １３４：制御部
１３６：メモリ                        １３７：ＲＴＴ計測部
２００：端末                          ２３２：速度センサ
２３３：制御部                        ３００：ＭＭＥ
３２０：制御部                        ３３０：メモリ
４００：Ｓ−ＧＷ                      ４２０：制御部
４３０：メモリ
【図１】
2016131358.tif 000003
【図２】
2016131358.tif 000004
【図３】
2016131358.tif 000005
【図４】
2016131358.tif 000006
【図５】
2016131358.tif 000007
【図６】
2016131358.tif 000008
【図７】
2016131358.tif 000009
【図８】
2016131358.tif 000010
【図９】
2016131358.tif 000011
【図１０】
2016131358.tif 000012
【図１１】
2016131358.tif 000013
【図１２】
2016131358.tif 000014
【図１３】
2016131358.tif 000015
【図１４】
2016131358.tif 000016
【図１５】
2016131358.tif 000017
【図１６】
2016131358.tif 000018
【図１７】
2016131358.tif 000019
【図１８】
2016131358.tif 000020
【図１９】
2016131358.tif 000021
【図２０】
2016131358.tif 000022
【図２１】
2016131358.tif 000023
【図２２】
2016131358.tif 000024
【図２３】
2016131358.tif 000025
【図２４】
2016131358.tif 000026